(57)【要約】【課題】直流で動作する電子機器等を使用可能としつつ物品陳列用スペースを有効に活用できる物品陳列用什器を提供する。【解決手段】複数の棚板５を有する棚装置Ａと、棚装置Ａに添設され交流を供給するラインコンセント４を有する給電装置Ｂとを備えた物品陳列用什器１であって、給電装置Ｂは、ラインコンセント４に着脱可能なアダプタ装置８を具備しており、アダプタ装置８は、ラインコンセント４と接続可能なプラグ８２ａ，８２ｂと、ラインコンセント４から供給された交流を直流に変換する変換器８Ａと、変換器８Ａに接続され直流を供給するＵＳＢコネクタ８４，８４と、を一体的に備えている。【選択図】図１
2020058412.tif 000002
【特許請求の範囲】
【請求項１】
複数の棚板を有する棚装置と、前記棚装置に添設され交流を供給するラインコンセントを有する給電装置とを備えた物品陳列用什器であって、
前記給電装置は、前記ラインコンセントに着脱可能なアダプタ装置を具備しており、
前記アダプタ装置は、前記ラインコンセントと接続可能なプラグと、
前記ラインコンセントから供給された交流を直流に変換する変換器と、
前記変換器に接続され直流を供給するＵＳＢコネクタと、を一体的に備えていることを特徴とする物品陳列用什器。
【請求項２】
前記アダプタ装置は、前記変換器を収納する筐体を有しており、前記筐体の前面側には前記プラグが備えられており、前記筐体の背面側には押圧部が形成されていることを特徴とする請求項１に記載の物品陳列用什器。
【請求項３】
前記筐体は前記ラインコンセントの長手方向に沿って長寸であり、前記ＵＳＢコネクタは、前記筐体の背面側に備えられておりかつ、前記プラグに対して前記筐体の長手方向の重ならない位置に備えられていることを特徴とする請求項１または２に記載の物品陳列用什器。
【請求項４】
前記ＵＳＢコネクタは、前記筐体の長手方向に沿って複数取り付けられていることを特徴とする請求項１ないし３のいずれかに記載の物品陳列用什器。
【請求項５】
前記アダプタ装置は、前記ラインコンセントに対して、前記プラグは上方側にかつ前記ＵＳＢコネクタは下方側に取り付けられていることを特徴とする請求項１ないし４のいずれかに記載の物品陳列用什器。
【発明の詳細な説明】
【技術分野】
【０００１】
本発明は、物品を陳列する、物品陳列用什器に関する。
【背景技術】
【０００２】
百貨店やスーパーマーケット等においては、商品を様々な物品陳列用什器を用いて提供している。
【０００３】
物品陳列用什器には、照明器具などの電子機器や小型の電気機器（以下、電子機器等という。）を取り付け、商品の演出効果を高めたものがある。陳列用什器に取り付けた照明器具に給電する態様は様々であるが、線状に形成され所望の箇所で接続可能なラインコンセントを、上下に延びる支柱や棚板に添設し、このラインコンセントに照明機器から延びる給電コードの端部に設けられたプラグを接続させて給電する方法が、プラグの接続位置の自由度が高くかつ個々の棚間に複数のコンセントを配設する必要が無く利便性が高い。
【０００４】
例えば、特許文献１に示される物品陳列用什器は、上下に延びる棚柱にラインコンセントが添設され、ラインコンセントの長手方向の所望の箇所に照明器具の給電コードの端部に設けられたプラグが接続されることで、ラインコンセントから照明器具に交流が供給され、照明器具によって棚に陳列された商品を照らすようになっている。
【先行技術文献】
【特許文献】
【０００５】
【特許文献１】実願平５−４８３５５号（実開平７−１７１５９号）のＣＤ−ＲＯＭ（第２頁、第１図）
【発明の概要】
【発明が解決しようとする課題】
【０００６】
最近の傾向として、物品陳列用什器に取り付けられる電子機器等は、ＬＥＤ照明やカメラなど直流で動作するものが多くなっている。しかしながら、引用文献１の物品陳列用什器は、ラインコンセントには交流が供給されているので、直流で動作するＬＥＤ照明やカメラを設置するには、ラインコンセントと電子機器等とを繋ぐ給電コードの途中に、交流を直流に変換するＡＣ／ＤＣコンバータ（変換器）を介して電子機器等に給電させる必要があった。このように、給電コードの途中に変換器が設けられているため、変換器や変換器に接続される給電コードを棚に載置したり棚柱に添設することで、物品陳列用スペースを圧迫することとなっていた。
【０００７】
本発明は、このような問題に着目してなされたもので、直流で動作する電子機器等を使用可能としつつ物品陳列用スペースを有効に活用できる物品陳列用什器を提供することを目的とする。
【課題を解決するための手段】
【０００８】
前記課題を解決するために、本発明の物品陳列用什器は、
複数の棚板を有する棚装置と、前記棚装置に添設され交流を供給するラインコンセントを有する給電装置とを備えた物品陳列用什器であって、
前記給電装置は、前記ラインコンセントに着脱可能なアダプタ装置を具備しており、
前記アダプタ装置は、前記ラインコンセントと接続可能なプラグと、
前記ラインコンセントから供給された交流を直流に変換する変換器と、
前記変換器に接続され直流を供給するＵＳＢコネクタと、を一体的に備えていることを特徴としている。
この特徴によれば、アダプタ装置は、プラグにラインコンセントから給電された交流を変換器により直流に変換しＵＳＢコネクタに供給しているので、ＵＳＢコネクタに電子機器等の給電コードの端部に設けられたＵＳＢプラグを直接取り付けるだけで直流で動作する電子機器等を動作させることができ、物品陳列スペースを有効に活用できる。
【０００９】
前記アダプタ装置は、前記変換器を収納する筐体を有しており、前記筐体の前面側には前記プラグが備えられており、前記筐体の背面側には押圧部が形成されていることを特徴としている。
この特徴によれば、ラインコンセントにアダプタ装置が取り付けられている状態において、電子機器等の給電コードの端部に設けられたＵＳＢプラグをＵＳＢコネクタに着脱する際、押圧部を指で押さえた状態でプラグをアダプタ装置に着脱することによって、プラグをアダプタ装置に安定して着脱することができる。
【００１０】
前記筐体は前記ラインコンセントの長手方向に沿って長寸であり、前記ＵＳＢコネクタは、前記筐体の背面側に備えられておりかつ、前記プラグに対して前記筐体の長手方向の重ならない位置に備えられていることを特徴としている。
この特徴によれば、アダプタ装置のラインコンセントに対する着脱方向と、電子機器等の備えるＵＳＢプラグのＵＳＢコネクタに対する着脱方向が同じことから、アダプタ装置およびＵＳＢコネクタの着脱が容易である。
【００１１】
前記ＵＳＢコネクタは、前記筐体の長手方向に沿って複数取り付けられていることを特徴としている。
この特徴によれば、アダプタ装置にＵＳＢコネクタがラインコンセントの長手方向と同じ方向に取り付けられているので、ＵＳＢプラグを介してＵＳＢコネクタに接続される電子機器等の配線の取り回しが良い。
【００１２】
前記アダプタ装置は、前記ラインコンセントに対して、前記プラグは上方側にかつ前記ＵＳＢコネクタは下方側に取り付けられていることを特徴としている。
この特徴によれば、プラグとＵＳＢコネクタは上下に離間しかつＵＳＢコネクタが下方側に取り付けられているので、ＵＳＢコネクタから電子機器等の備えるＵＳＢプラグを離脱させる際、ラインコンセントからアダプタ装置が離脱し難く、ＵＳＢコネクタを着脱しやすい。
【図面の簡単な説明】
【００１３】
【図１】本発明の実施例における物品陳列用什器の構造を示す斜視図である。
【図２】棚装置にラインコンセントを取り付ける態様を示した模式図である。
【図３】（ａ）はアダプタ装置の前面側を示す図であり、（ｂ）はアダプタ装置の斜視図であり、（ｃ）はアダプタ装置の側面図である。
【図４】アダプタ装置をラインコンセントに取り付ける態様を示す模式図である。
【図５】アダプタ装置の電気回路を示す模式図である。
【図６】ラインコンセントに取り付けられたアダプタ装置からＵＳＢプラグを離脱させる模式図である。
【発明を実施するための形態】
【００１４】
本発明に係る物品陳列用什器を実施するための形態を実施例に基づいて以下に説明する。
【実施例】
【００１５】
実施例に係る物品陳列用什器につき、図１から図６を参照して説明する。以下、物品陳列用什器の棚部側を正面側とし、正面側からみて左右側を物品陳列用什器の左右として説明する。
【００１６】
本実施例の物品陳列用什器１は、スーパーマーケットやコンビニエンスストア等で商品を陳列する商品陳列棚である。尚、物品陳列用什器１は、商品陳列棚に限られず、倉庫などで物品を収納する物品収納棚として利用してもよい。
【００１７】
図１に示されるように、物品陳列用什器１は、左右に離間する一対の支柱２，２と、支柱２，２の上端部と下端部との対向面同士を連結している横連結杆３，３と、支柱２，２の前面に支持された上下複数段の棚部５，５，…と、から主に構成される棚装置Ａと、支柱２，２の長手方向に沿って支柱２，２に取り付けられるラインコンセント４と、該ラインコンセント４の長手方向の所望の位置に取り付けられるアダプタ装置８から成る給電装置Ｂから構成されている。棚装置Ａの各棚部５，５，…の上面には物品が陳列可能となっている。支柱２，２は、脚部６，６を有して自立可能となっているとともに、前面には、上下方向に左右２列に並ぶ多数の係合孔７，７，…が設けられており、棚部５を構成するブラケット５２と係合させることで棚板５１を所望の高さで支持できるようになっている。
【００１８】
図１の上方側の横連結杆３には、取付部材を介してカメラ９が設置されている。カメラ９は、棚部５に陳列される商品の防犯目的や、棚割りの情報を記録させる目的で設置されたもので、直流電源が供給されることで動作する電子機器である。カメラ９は、後端部から延出される給電コード９２の端部に取り付けられた雄側の接続端子部材であるＵＳＢプラグ９１を備えており、ＵＳＢプラグ９１が後述する雌側の接続端子部材であるＵＳＢコネクタ８４に接続されることでカメラ９に直流電源が供給され動作するようになっている。
【００１９】
図２は、ラインコンセント４を棚装置Ａの支柱２に取り付ける態様を示している。尚、紙面上下をラインコンセント４の上下方向または長手方向、紙面左上と右下とを結ぶ方向をラインコンセント４の左右方向として説明する。図２に示されるように、棚装置Ａの支柱２には取付部材４３がネジにより固定される。ラインコンセント４の左右幅は、取付部材４３の開口部４４の左右幅と略同一に形成されており、ラインコンセント４は取付部材４３に嵌合、固定される。具体的には、ラインコンセント４の両側面に形成された爪部４０，４０，４０は、取付部材４３の両側板部の孔部４５，４５，４５とそれぞれ係合するとともに、ラインコンセント４は取付部材４３の両側板部によって挟持されるようになっている。
【００２０】
ラインコンセント４は、下方側に２口プラグ４２を有しており図示しない商用１００Ｖ交流の２口コンセントに接続され、２口コンセントから給電された交流をラインコンセント４の長手方向に亘って形成されている装着溝４１Ａ，４１Ｃに供給するようになっている。
【００２１】
次に、アダプタ装置８の構造を図３（ａ）、（ｂ）、（ｃ）に基づいて説明する。尚、ここでは、図３（ａ）の手前側をアダプタ装置８の前面側とし、図３（ｃ）の左側を前面側とし、右側を背面側として説明する。
【００２２】
図３（ａ），（ｂ），（ｃ）に示されるように、アダプタ装置８は、ケース８１Ａにカバー８２Ｂが固定された略直方体の筐体８１と、前面側に設けられラインコンセント４の装着溝４１Ａ，４１Ｃに接続可能なプラグ８２ａ，８２ｂと、該プラグ８２ａ，８２ｂの中央下部に形成されておりラインコンセント４の装着溝４１Ｂに接続可能なアースプラグ８３と、筐体８１内部に設けられた変換器８Ａ（図示せず）と、筐体８１の背面側に設けられたＵＳＢコネクタ８４，８４を備えている。
【００２３】
プラグ８２ａ，８２ｂとアースプラグ８３は、電導性を有す金属板により形成され、前方側は筐体８１のケース８１Ａから前方に突出するように配置されており、かつ後方側は筐体８１内に配置され筐体８１に対して固定されている。プラグ８２ａ，８２ｂは筐体前面部８０の上方で上下方向かつ前後方向に延びるように互いに平行に配置されている。プラグ８２ａ，８２ｂの中央下部にアースプラグ８３がプラグ８２ａ，８２ｂに平行に配置されている。具体的には、プラグ８２ａ，８２ｂ、アースプラグ８３をケース８１Ａに配置した状態でカバー８２Ｂをケース８１Ａに固定することで、プラグ８２ａ，８２ｂ、アースプラグ８３はケース８１Ａとカバー８１Ｂにより前背方向から挟持されて筐体８１内に固定される。また、プラグ８２ａ，８２ｂは、筐体８１内において変換器８Ａに配線により電気的に接続されている。（図５参照）
【００２４】
筐体８１の下方側には、ＵＳＢコネクタ８４，８４が上下に二つ互いに左右方向に延び平行に配置されている。ＵＳＢコネクタ８４，８４は筐体８１のケース８１Ａ内に固定されている。具体的には、ＵＳＢコネクタ８４，８４をケース８１Ａに配置した状態でカバー８２Ｂをケース８１Ａに固定することで、ＵＳＢコネクタ８４，８４はケース８１Ａとカバー８２Ｂにより前背方向から挟持されて筐体８１内に固定されている。また、ＵＳＢコネクタ８４，８４は、カバー８１Ｂに形成された同寸の孔部と面一となる形状・配置となっている。また、ＵＳＢコネクタ８４，８４ｂは、筐体８１内において変換器８Ａに配線により電気的に接続されている。（図５参照）
【００２５】
図３（ａ）は、アダプタ装置８の前面側を示しており、アダプタ装置８の筐体８１は、ラインコンセント４の左右幅と略同一または幅狭に形成されており、アダプタ装置８をラインコンセント４に取り付けた際、筐体８１がラインコンセント４の左右幅よりも突出しないようになっている。
【００２６】
図３（ｂ）に示されているように、カバー８１Ｂに形成されているＵＳＢコネクタ８４，８４の上方側には、方形で平坦な押圧部８５が形成されている。後述するが、押圧部８５は、アダプタ装置８がラインコンセント４に取り付けられている状態において、カメラ９の給電コード９２の端部に設けられたＵＳＢプラグ９１をＵＳＢコネクタ８４に着脱する際、押圧部８５を指で押しながらＵＳＢプラグ９１をＵＳＢコネクタ８４から着脱することによって、アダプタ装置８の移動が規制された状態となっているからＵＳＢプラグ９１をＵＳＢコネクタ８４に対して安定して着脱させることができるようになっている。
【００２７】
図３（ｃ）に示されるように、プラグ８２ａ，８２ｂと、アースプラグ８３は筐体８１の前面側の上方側に形成されており、ＵＳＢコネクタ８４，８４は筐体８１の背面側の下方側に形成されている。このようにプラグ８２ａ，８２ｂと、アースプラグ８３を筐体８１の上方側に形成し、ＵＳＢコネクタ８４，８４を筐体８１の下方側に形成したので、アダプタ装置８を薄型化させることができるようになっている。
【００２８】
図４は、アダプタ装置８の上面図と、ラインコンセント４の断面図であり、ラインコンセント４は外ケース４６と、内ケース４７がラインコンセント４の長手方向に亘って配置されており、内ケース４７には受け端子４１ａ，４１ｂ，４１ｃがそれぞれラインコンセント４の長手方向に亘って備えられている。受け端子４１ａ（４１ｂ，４１ｃは同様につき説明省略）は、長手方向に延び、上方に開放する断面Ｕ字状の形態を成し、上方に装着溝４１Ａが形成されている。アダプタ装置８のプラグ８２ａ，８２ｂを装着溝４１Ａ，４１Ｃに、アースプラグ８３を装着溝４１Ｂに挿入することで、プラグ８２ａ，８２ｂ、アースプラグ８３は、それぞれ受け端子４１ａ，４１ｃ，７１ｂによって左右方向から弾性的に挟持され電気的かつ機械的に接続される。この接続状態で、アダプタ装置８は、筐体８１の前面部８０がラインコンセント４の前面と当接するようになっている。また、アースプラグ８３がアダプタ装置８のプラグ８２ａ，８２ｂの略中央下部に形成されており、ラインコンセント４の受け端子４１ｂと接続されるので、アダプタ装置８に左右方向からの外力を加えられた際、アダプタ装置８の回転止めの効果を奏するようになっている。
【００２９】
図５は、アダプタ装置８の筐体８１内における電気回路を模式的に示した図である。変換器８Ａは、プラグ８２ａ，８２ｂと、ＵＳＢコネクタ８４，８４と電気的に接続されており、プラグ８２ａ，８２ｂに供給された交流を変換器８Ａにより直流に変換し、ＵＳＢコネクタ８４，８４へ供給するようになっている。
【００３０】
図６は、ラインコンセント４にアダプタ装置８が接続され、カメラ９の給電コード９２に設けられたＵＳＢプラグ９１が接続された状態を示している。ＵＳＢコネクタ８４には、内部に爪部８４ａが形成されており、ＵＳＢプラグ９１が挿入された際、ＵＳＢプラグ９１の図示しない穴部と爪部８４ａが係合することで確実に接続されるようになっている。この状態においてＵＳＢプラグ９１をアダプタ装置８から離脱させようとすると、アダプタ装置８に対するＵＳＢプラグ９１の着脱方向と、ラインコンセント４に対するアダプタ装置８の着脱方向が一致していることと、アダプタ装置８のプラグ８２ａ，８２ｂはラインコンセント４受け端子４１ａ，４１ｃに挟持されて接続されているのに対し、アダプタ装置８のＵＳＢコネクタ８４はＵＳＢプラグ９１と係合することで接続されていることから、離脱させようとしたＵＳＢプラグ９１に追従してアダプタ装置８がラインコンセント４から離脱してしまう虞がある。アダプタ装置８に押圧部８５を設けているので、ＵＳＢコネクタ８４，８４の上方側に形成されている押圧部８５を指で押圧しながらＵＳＢプラグ９１を離脱させることで、ラインコンセント４からアダプタ装置８が離脱することを防ぐようになっている。また、装着時においても押圧部８５を押さえながらＵＳＢプラグ９１をＵＳＢコネクタ８４，８４に接続させることで安定してＵＳＢプラグ９１をＵＳＢコネクタ８４，８４に接続できるようになっている。
【００３１】
以上説明したように、アダプタ装置８は、プラグ８２ａ，８２ｂにラインコンセント４から給電された交流を変換器８Ａにより直流に変換しＵＳＢコネクタ８４，８４に供給しているので、ＵＳＢコネクタ８４，８４に電子機器等の給電コード９２の端部に設けられたＵＳＢプラグ９１を直接取り付けるだけで直流で動作する電子機器等を動作させることができ、物品陳列スペースを有効に活用できる。
【００３２】
また、アダプタ装置８は、変換器８Ａを収納する筐体８１を有しており、筐体８１の前面側にはプラグ８２ａ，８２ｂが備えられており、筐体８１の背面側に押圧部８５が形成されているので、ラインコンセント４にアダプタ装置８が取り付けられている状態において、電子機器等の備える給電コード９２の端部に設けられたＵＳＢプラグ９１をＵＳＢコネクタ８４に着脱する際、押圧部８５を指で押さえた状態でＵＳＢプラグ９１をアダプタ装置８に着脱することによって、ＵＳＢプラグ９１をアダプタ装置８に安定して着脱することができる。
【００３３】
また、筐体８１はラインコンセント４の長手方向に沿って長寸であり、ＵＳＢコネクタ８４，８４は、筐体８１の背面側に備えられておりかつ、プラグ８２ａ，８２ｂに対して筐体８１の長手方向の重ならない位置に備えられていることから、アダプタ装置８のラインコンセント４に対する着脱方向と、電子機器等の備えるＵＳＢプラグ９１のＵＳＢコネクタ８４，８４に対する着脱方向が同じことから、アダプタ装置８およびＵＳＢコネクタ８４，８４の着脱が容易になっている。
【００３４】
また、ＵＳＢコネクタ８４，８４は、筐体８１の長手方向に沿って複数取り付けられることから、アダプタ装置８にＵＳＢコネクタ８４，８４がラインコンセント４の長手方向と同じ方向に取り付けられているので、ＵＳＢプラグ９１を介してＵＳＢコネクタ８４，８４に接続される電子機器等の給電コード９２の取り回しが良い。
【００３５】
また、アダプタ装置８は、ラインコンセント４に対して、プラグ８２ａ，８２ｂは上方側にかつＵＳＢコネクタ８４，８４は下方側に取り付けられていることから、プラグ８２ａ，８２ｂとＵＳＢコネクタ８４，８４は上下に離間しかつＵＳＢコネクタ８４，８４が下方側に取り付けられているので、ＵＳＢコネクタ８４，８４から電子機器等の備えるＵＳＢプラグ９１を離脱させる際、ラインコンセント４からアダプタ装置８が離脱し難く、ＵＳＢコネクタ８４，８４を着脱しやすい。
【００３６】
以上、本発明の実施例を図面により説明してきたが、具体的な構成はこれら実施例に限られるものではなく、本発明の要旨を逸脱しない範囲における変更や追加があっても本発明に含まれる。
【００３７】
例えば、前記実施例では、ラインコンセント４を支柱２に取り付ける例として説明したが、これに限らず、横連結杆３や棚部５に取り付けることとしても良い。
【００３８】
また、前記実施例では、ラインコンセント４に対してアダプタ装置８を１つ取り付ける例として説明したが、これに限らず、アダプタ装置８を複数取り付けることとしても良い。
【００３９】
また、前記実施例では、電子機器等としてカメラ９を用いる例として説明したが、これに限らず、直流で作動しＵＳＢアダプタを用いて給電される電子機器であれば良い。
【００４０】
また、前記実施例では、アダプタ装置８にＵＳＢコネクタ８４が２つ設けられる例について説明したが、これに限らず、ＵＳＢコネクタ８４を３つ以上設けても良いし、１つとしても良い。
【００４１】
また、前記実施例では、筐体８１が矩形である例について説明したが、これに限らず、丸型や楕円型としてもよい。
【符号の説明】
【００４２】
１                物品陳列用什器
２                支柱
４                ラインコンセント
５                棚部
８                アダプタ装置
８Ａ              変換器
８１              筐体
８２ａ，８２ｂ    プラグ
８３              アースプラグ
８４              ＵＳＢコネクタ
８５              押圧部
９                カメラ
９１              ＵＳＢプラグ
Ａ                棚装置
Ｂ                給電装置
【図１】
2020058412.tif 000003
【図２】
2020058412.tif 000004
【図３】
2020058412.tif 000005
【図４】
2020058412.tif 000006
【図５】
2020058412.tif 000007
【図６】
2020058412.tif 000008